(57)【要約】【課題】複数の露光ヘッドを備えた構成において、各露光ヘッドの間での光量ムラを抑制する。【解決手段】一方向に沿って配列された複数のＬＥＤチップ１８を有し、一方向に沿って配列された複数の露光ヘッド２２と、各露光ヘッド２２におけるＬＥＤチップ１８の配列方向両端部側のうち、他の露光ヘッド２２が配された側の端部側に配置され、温度を検出する複数の温度検出部２６と、温度検出部２６が検出した温度情報に基づき各露光ヘッド２２の光量を補正する制御部２８とを備える。【選択図】図２
2010228213.tif 000002
【特許請求の範囲】
【請求項１】
一方向に沿って配列された複数の発光素子を有し、前記一方向に沿って配列された複数の露光ヘッドと、
各前記露光ヘッドにおける前記発光素子の配列方向両端部側のうち、他の前記露光ヘッドが配された側の端部側に配置され、温度を検出する複数の温度検出手段と、
前記温度検出手段が検出した温度情報に基づき前記各露光ヘッドの光量を補正する補正部と、
を備える露光装置。
【請求項２】
前記各露光ヘッドにおける前記発光素子の配列方向両端部に取り付けられ、前記他の露光ヘッドが配された側を前記温度検出手段として選択可能とされ、温度を検出可能な温度検出部を備える請求項１に記載の露光装置。
【請求項３】
前記露光ヘッドは、前記発光素子が取付けられた基板を有し、
前記温度検出部は、前記発光素子の取付け側とは反対側の前記基板の裏面に取り付けられている請求項２に記載の露光装置。
【請求項４】
前記露光ヘッドは、前記発光素子を駆動する駆動回路を有し、
前記温度検出部は、前記駆動回路に設けられている請求項２に記載の露光装置。
【請求項５】
前記各露光ヘッドで異なる補正データを記憶する記憶手段を備え、
前記補正部は、前記温度検出手段が検出した温度情報に基づき前記補正データを用いて前記各露光ヘッドの光量を補正する請求項１〜４のいずれか１項に記載の露光装置。
【請求項６】
請求項１〜５のいずれか１項に記載の露光装置と、
前記露光装置によって露光されて潜像が形成される感光体と、
前記潜像を現像する現像装置と、
を備えた画像形成装置。
【発明の詳細な説明】
【技術分野】
【０００１】
本発明は、露光装置及び画像形成装置に関する。
【背景技術】
【０００２】
露光装置としては、特許文献１に開示される画像書込装置が公知である。特許文献１に開示される画像書込装置は、感光体の軸線方向（主走査方向）に沿って千鳥状に配列した複数個のＬＥＤヘッド（発光素子アレイユニット）５０３によって構成され、ＬＥＤ書込制御回路５０１が画像データ（画像情報）を各ＬＥＤヘッド５０３毎に分割して感光体の回動方向に結像させる位置分だけ時間的にずらして各ＬＥＤヘッド５０３へ転送させる。
【０００３】
このとき、各ＬＥＤヘッド５０３の内側又は近傍に設けたサーミスタ（温度検出手段）による検出温度に応じて、画像データの分割位置の一部又は全部に対応する各ＬＥＤヘッド５０３の繋ぎ目に位置する２個の発光素子のいずれか一方又は両方の発光光量を補正する。
【先行技術文献】
【特許文献】
【０００４】
【特許文献１】特開２００３−７２１４６号公報
【発明の概要】
【発明が解決しようとする課題】
【０００５】
本発明は、複数の露光ヘッドを備えた構成において、各露光ヘッドの間での光量ムラを抑制することを課題とする。
【課題を解決するための手段】
【０００６】
本発明の請求項１に係る露光装置は、一方向に沿って配列された複数の発光素子を有し、前記一方向に沿って配列された複数の露光ヘッドと、各前記露光ヘッドにおける前記発光素子の配列方向両端部側のうち、他の前記露光ヘッドが配された側の端部側に配置され、温度を検出する複数の温度検出手段と、前記温度検出手段が検出した温度情報に基づき前記各露光ヘッドの光量を補正する補正部と、を備える。
【０００７】
本発明の請求項２に係る露光装置は、請求項１の構成において、前記各露光ヘッドにおける前記発光素子の配列方向両端部に取り付けられ、前記他の露光ヘッドが配された側を前記温度検出手段として選択可能とされ、温度を検出可能な温度検出部を備える。
【０００８】
本発明の請求項３に係る露光装置は、請求項２の構成において、前記露光ヘッドは、前記発光素子が取付けられた基板を有し、前記温度検出部は、前記発光素子の取付け側とは反対側の前記基板の裏面に取り付けられている。
【０００９】
本発明の請求項４に係る露光装置は、請求項２の構成において、前記露光ヘッドは、前記発光素子を駆動する駆動回路を有し、前記温度検出部は、前記駆動回路に設けられている。
【００１０】
本発明の請求項５に係る露光装置は、請求項１〜４のいずれか１項の構成において、前記各露光ヘッドで異なる補正データを記憶する記憶手段を備え、前記補正部は、前記温度検出手段が検出した温度情報に基づき前記補正データを用いて前記各露光ヘッドの光量を補正する。
【００１１】
本発明の請求項６に係る画像形成装置は、請求項１〜５のいずれか１項に記載の露光装置と、前記露光装置によって露光されて潜像が形成される感光体と、前記潜像を現像する現像装置と、を備えた。
【発明の効果】
【００１２】
本発明の請求項１の構成によれば、本構成を有していない場合に比べ、各露光ヘッドの間での光量ムラを抑制できる。
【００１３】
本発明の請求項２の構成によれば、本構成を有していない場合に比べ、各露光ヘッドの構成を共通化できる。
【００１４】
本発明の請求項３の構成によれば、本構成を有していない場合に比べ、温度検出が高精度に行うことができる。
【００１５】
本発明の請求項４の構成によれば、本構成を有していない場合に比べ、露光ヘッドの小型化を図ることができる。
【００１６】
本発明の請求項５の構成によれば、本構成を有していない場合に比べ、各露光ヘッドの間での光量ムラを抑制できる。
【００１７】
本発明の請求項６の構成によれば、本構成を有していない場合に比べ、画像濃度のムラを抑制できる。
【図面の簡単な説明】
【００１８】
【図１】図１は、本実施形態に係る画像形成装置の全体構成を示す概略図である。
【図２】図２は、本実施形態に係る露光装置の構成を示す概略図である。
【図３】図３は、露光ヘッドを階段状に配置した露光装置の変形例を示す概略図である。
【図４】図４は、本実施形態に係る露光ヘッドの構成を示す概略斜視図である。
【図５】図５は、本実施形態に係る露光ヘッドからの発光光が感光体ドラムに結像される状態を模式的に示した模式図である。
【図６】図６は、温度検出部をフレームに配置した露光装置の変形例を示す概略図である。
【図７】図７は、本実施形態に係る各露光ヘッドの温度と光量の関係を示すグラフである。
【図８】図８（Ａ）は、温度上昇した場合における各露光ヘッドの光量変化を示す概略図であり、図８（Ｂ）は、温度上昇した場合における画像濃度の変化を示す概略図である。
【図９】図９（Ａ）は、光量を補正した場合における各露光ヘッドの光量変化を示す概略図であり、図９（Ｂ）は、光量を補正した場合における画像濃度の変化を示す概略図である。
【図１０】図１０は、露光ヘッド２２Ｂの露光ヘッド２２Ａ側の端部を基準として光量を補正する場合について説明するための図である。
【図１１】図１１は、露光ヘッド２２Ｂの露光ヘッド２２Ａ側の端部を基準として光量を補正する場合における各露光ヘッドの各値を示す表である。
【図１２】図１２は、露光ヘッド２２Ｂの中央部を基準として光量を補正する場合について説明するための図である。
【図１３】図１３は、露光ヘッド２２Ｂの中央部を基準として光量を補正する場合における各露光ヘッドの各値を示す表である。
【発明を実施するための形態】
【００１９】
以下に、本発明に係る実施形態の一例を図面に基づき説明する。
（本実施形態に係る画像形成装置の全体構成）
まず、本実施形態に係る画像形成装置の全体構成を説明する。図１は、本実施形態に係る画像形成装置の全体構成を示す概略図である。
【００２０】
本実施形態に係る画像形成装置は、所謂タンデム型のカラープリンタであり、図１に示すように、中間転写体の一例としての中間転写ベルト４０を備えている。
【００２１】
この中間転写ベルト４０は、環状に形成されており、複数の支持ロール４２によって、張力が掛かった状態で支持されている。
【００２２】
中間転写ベルト４０の外周には、そのベルト走行方向（図１において反時計回り方向）に沿って、シアン（Ｃ）、マゼンタ（Ｍ）、イエロー（Ｙ）、ブラック（Ｋ）の各色に対応した画像形成ユニット４４Ｃ、４４Ｍ、４４Ｙ、４４Ｋが順に配置されている。
【００２３】
各画像形成ユニット４４Ｃ、４４Ｍ、４４Ｙ、４４Ｋは、感光体の一例としての感光体ドラム４６を有している。この感光体ドラム４６は、一方向（図１において時計回り方向）へ回転するようになっている。なお、感光体としては、感光体ドラム４６に限られず、例えば、感光体ベルトであってもよい。
【００２４】
感光体ドラム４６の周囲には、その回転方向に沿って、帯電装置５０、露光装置１２、現像装置５２、１次転写部材の一例としての１次転写ロール５４及びクリーナ４８が順に配置されている。
【００２５】
各画像形成ユニット４４Ｃ、４４Ｍ、４４Ｙ、４４Ｋにおいては、感光体ドラム４６の表面が、帯電装置５０によって一様に帯電され、露光装置１２によって感光体ドラム４６の表面を露光して静電潜像が形成される。そして、露光装置１２によって形成された静電潜像は、現像装置５２によって現像されてトナー画像が形成され、１次転写ロール５４によって中間転写ベルト４０に転写されるようになっている。感光体ドラム４６に残留するトナーは、クリーナ４８によって除去される。なお、各感光体ドラム４６の軸方向に沿って主走査がなされ、各感光体ドラム４６の回転方向（周方向）に沿って副走査がなされる。
【００２６】
また、画像が形成される記録媒体Ｐ（例えば、用紙）は、記録媒体収容部５７に収容されている。この記録媒体収容部５７の先端側（図１において左端側）の上部に配置された送出ロール５６が、記録媒体Ｐ表面に接触して回転し記録媒体収容部５７内から記録媒体Ｐを送り出す。
【００２７】
送出ロール５６で送り出された記録媒体Ｐは、複数の搬送ロール５８により、図中破線で示す経路を辿って搬送される。搬送ロール５８で搬送された記録媒体Ｐは、２次転写部材の一例としての２次転写ロール６０とそれに対向する対向ロール６３との間の２次転写位置へ送られる。
【００２８】
２次転写位置に搬送された記録媒体Ｐには、２次転写ロール６０で中間転写ベルト４０上のカラー画像が、一括転写（２次転写）される。カラー画像が転写された記録媒体Ｐは、用紙搬送系６２によって定着装置６４に搬送され、そこで画像の定着処理（加熱、加圧等）がなされた後、図示しない排出部に排出されようになっている。
【００２９】
なお、画像形成装置１０は、上記の構成に限られず、種々の構成とすることが可能である。画像形成装置１０としては、例えば、中間転写体を有さない直接転写型の画像形成装置であってもよい。
【００３０】
（露光装置１２の構成）
次に、露光装置１２の構成について説明する。図２は、露光装置１２の構成を示す概略図である。
【００３１】
各色の露光装置１２は、一方向（図２においてＸ方向）に長尺状に形成されたフレーム１４を備えている。このフレーム１４上には、一方向（図２においてＸ方向）に沿って配列された複数の露光ヘッド２２を備えている。本実施形態では、露光ヘッド２２が配列される一方向は、主走査方向である。この一方向と直交する直交方向（図２においてＹ方向）が副走査方向である。
本実施形態では、複数の露光ヘッド２２は、露光ヘッド２２Ａ、露光ヘッド２２Ｂ及び露光ヘッド２２Ｃの３つで構成されている。なお、露光ヘッド２２の数は、２つであっても良く、４つ以上であっても良く、複数であれば良い。
【００３２】
露光ヘッド２２が互い違いに配置された千鳥状に配列されている。具体的には、露光ヘッド２２Ｂは、露光ヘッド２２Ａに対して副走査方向（図２においてＹ方向）の一方側にずれて配置されると共に、副走査方向から見た場合に、露光ヘッド２２Ａ及び露光ヘッド２２Ｂの端部同士が重なっている。
【００３３】
また、露光ヘッド２２Ｃは、露光ヘッド２２Ｂに対して副走査方向（図２においてＹ方向）の他方側にずれて配置されると共に、副走査方向から見た場合に、露光ヘッド２２Ｂ及び露光ヘッド２２Ｃの端部同士が重なっている。
【００３４】
なお、露光ヘッド２２は、図３に示すように、階段状に配置されていても良い。具体的には、露光ヘッド２２Ｂは、露光ヘッド２２Ａに対して副走査方向（図３においてＹ方向）の一方側にずれて配置されると共に、副走査方向から見た場合に、露光ヘッド２２Ａ及び露光ヘッド２２Ｂの端部同士が重なっている。
【００３５】
また、露光ヘッド２２Ｃは、露光ヘッド２２Ｂに対して副走査方向（図３においてＹ方向）の一方側にずれて配置されると共に、副走査方向から見た場合に、露光ヘッド２２Ｂ及び露光ヘッド２２Ｃの端部同士が重なっている。
【００３６】
各露光ヘッド２２は、図２及び図４に示すように、主走査方向に長尺状に形成された基板１６を備えている。この基板１６上には、発光素子の一例としてのＬＥＤチップ１８が、画素数（ドット数）に応じて、主走査方向へ沿って複数配列されている。また、基板１６上には、ＬＥＤチップ１８を駆動する駆動回路の一例としてのドライバＩＣ２４が複数設けられている。
【００３７】
複数のＬＥＤチップ１８の光射出側には、図４及び図５に示すように、ロッドレンズ２０Ａが複数配列されて構成されたセルフォックレンズアレイ２０が設けられている。
【００３８】
セルフォックレンズアレイ２０では、１ドットに対して複数（本実施形態では、６個）のロッドレンズ２０Ａで正立等倍結像するように、各ロッドレンズ２０Ａが２次元状に配列されている。従って、各ＬＥＤチップ１８からの発光光は、対応する複数のセルフォックレンズアレイ２０を介して感光体ドラム４６の表面に結像される。このように、ＬＥＤ１８からの発光光によって、感光体ドラム４６が露光されて潜像が形成される。
【００３９】
なお、本実施形態では、発光素子としてＬＥＤを適用するが、これに限るものではなく、ＥＬ（Electro-Luminescence）素子などのその他の発光素子を適用するようにしてもよい。
【００４０】
各露光ヘッド２２は、温度を検出可能な温度検出部２６を基板１６に備えている。温度検出部２６は、基板１６の表面であって、露光ヘッド２２におけるＬＥＤチップ１８の配列方向両端部に取り付けられている。すなわち、温度検出部２６は、基板１６の長手方向（主走査方向）両端部に配置されている。具体的には、温度検出部２６は、ＬＥＤチップ１８の主走査方向外側に配置されている。
【００４１】
なお、温度検出部２６の配置位置は、基板１６の表面に限られず、ＬＥＤチップ１８の取付け側とは反対側の基板１６の裏面に取り付けられる構成であってもよい。
【００４２】
温度検出部２６は、主走査方向端部にあるＬＥＤチップ１８の温度変化を把握するためのものであり、主走査方向端部にあるＬＥＤチップ１８の温度変化を把握できる程度において、主走査方向端部にあるＬＥＤチップ１８に近傍に配置されていればよい。
【００４３】
従って、温度検出部２６は、ＬＥＤチップ１８の主走査方向外側に配置されている構成で無くてもよく、温度検出部２６は、ＬＥＤチップ１８に対して副走査方向（図２においてＹ方向）の一方側にずれて配置されると共に、副走査方向から見た場合に、温度検出部２６がＬＥＤチップ１８の端部に重なる配置であっても良い。
【００４４】
また、温度検出部２６が基板１６の裏面に配置される場合には、ＬＥＤチップ１８の端部の真裏に配置してもよい。
【００４５】
さらに、温度検出部２６は、基板１６ではなく、ドライバＩＣ２４に設けられていてもよい。
【００４６】
基板１６の両端部に配置された二つの温度検出部２６は、実際の温度検出に使用するものを選択可能とされている。本実施形態では、他の露光ヘッド２２が配された側の温度検出部２６を実際の温度検出に使用するものとして選択可能とされる。
【００４７】
従って、露光ヘッド２２Ａでは、２つの温度検出部２６のうち、露光ヘッド２２Ｂ側（図２において右側）にある温度検出部２６が、実際の温度検出に使用される。また、露光ヘッド２２Ｂでは、２つの温度検出部２６の両方が、実際の温度検出に使用される。露光ヘッド２２Ｃでは、２つの温度検出部２６のうち、露光ヘッド２２Ｂ側（図２において左側）にある温度検出部２６が、実際の温度検出に使用される。
【００４８】
なお、温度検出部２６としては、例えば、サーミスタが用いられる。
【００４９】
露光装置１２は、温度検出部２６が検出した温度情報に基づき、各露光ヘッド２２の光量を補正する補正部の一例としての制御部２８を備えている。
【００５０】
制御部２８は温度検出部２６と接続されており、温度検出部２６で検出された温度の温度情報は、制御部２８によって取得される。
【００５１】
各露光ヘッド２２には、その露光ヘッド２２の光量を補正するための補正データを記録するための記憶手段の一例としてのＥＥＰＲＯＭ３０が設けられている。
【００５２】
制御部２８は、ＥＥＰＲＯＭ３０で記憶された補正データを用いて、温度検出部２６が検出した温度情報に基づき各露光ヘッド２２の光量を補正するようになっている。
【００５３】
なお、温度検出部２６が、露光ヘッド２２ではなく、図６に示すように、フレーム１４に配置される構成であってもよい。この構成では、露光ヘッド２２におけるＬＥＤチップ１８の配列方向両端部側のうち、他の露光ヘッド２２が配された側の端部側に配置されている。
【００５４】
（露光装置１２における光量の補正方法）
次に、露光装置１２における光量の補正方法を説明する。
ここでは、各露光ヘッド２２が温度上昇に伴って、図７に示すように、各露光ヘッド２２において光量低下の度合いが異なるものとする。
【００５５】
図７に示すように、温度上昇１℃あたりの光量低下を光量ダウン係数とした場合に、その絶対値は、露光ヘッド２２Ｂの光量ダウン係数Ｋｂ、露光ヘッド２２Ａの光量ダウン係数Ｋａ、露光ヘッド２２Ｃの光量ダウン係数Ｋｃの順で大きくなっている。
【００５６】
なお、温度上昇は、各露光ヘッド２２が発光することによる自らの発熱によるものと、外部にある駆動部などからの発熱によるものとが考えられる。
【００５７】
図８（A）に示すように、各露光ヘッド２２において温度上昇がない場合には、各露光ヘッド２２の光量低下がなく、各露光ヘッド２２の光量は、同じ値で一定とされる（太線Ａ参照）。
【００５８】
各露光ヘッド２２において温度が上昇すると、露光ヘッド２２Ｂの光量が低下し、露光ヘッド２２Ｂよりも低い値に露光ヘッド２２Ａの光量が低下し、露光ヘッド２２Ａよりも低い値に露光ヘッド２２Ｃの光量が低下する（太線Ｂ参照）。このように、各露光ヘッド２２の間で光量のばらつきが発生する。
【００５９】
さらに、各露光ヘッド２２において温度上昇が進むと、露光ヘッド２２Ａの光量低下は、露光ヘッド２２Ｂよりも大きくなり、露光ヘッド２２Ｃの光量低下は、露光ヘッド２２Ａよりも大きくなる（太線Ｃ参照）。このため、各露光ヘッド２２の間で光量のばらつきがさらに大きくなる。
【００６０】
なお、図８（Ａ）において示す例では、各露光ヘッド２２において均一に温度上昇が生じるとした場合である。各露光ヘッド２２で温度が上昇したときにおいて、画像を形成した場合には、図８（Ｂ）に示すように、画像に濃度ムラが生じる。
【００６１】
これに対して、本実施形態では、各露光ヘッド２２の端部に配置された温度検出部２６が、それぞれ温度を検出し、制御部２８は温度検出部２６が検出した温度情報に基づき、図９（Ａ）に示すように、各露光ヘッド２２の光量ダウン係数に応じて各露光ヘッド２２の光量を補正する。
【００６２】
すなわち、光量の補正値は、光量ダウン係数が露光ヘッド２２Ｂよりも大きい露光ヘッド２２Ａが、露光ヘッド２２Ｂよりも高く、光量ダウン係数が露光ヘッド２２Ａよりも大きい露光ヘッド２２Ｃが、露光ヘッド２２Ａよりも高い。また、さらに、温度上昇が進むと、光量ダウン係数が大きいほど、補正値が増加する。なお、図９（Ａ）において、太線Ｄは、各露光ヘッド２２における補正後の光量を示し、点線Ｅは、各露光ヘッド２２における温度上昇後の光量を示し、点線Ｆは、各露光ヘッド２２においてさらに温度上昇が進んだ場合の光量を示す。
【００６３】
光量の補正がなされ、各露光ヘッド２２において光量が同じとなると、画像を形成した場合には、図９（Ｂ）に示すように、画像の濃度が均一となる。
【００６４】
以下に、具体的な補正方法について説明する。まず、露光ヘッド２２Ｂの図２における左側（露光ヘッド２２Ａ側）の端部を基準とした場合について説明する。また、図９に示す例では、各露光ヘッド２２において、温度上昇が主走査方向に一定である場合を示しているが、各露光ヘッド２２内において、図１０に示すように、主走査方向において温度上昇にばらつきがあるものとして説明する。なお、以下の説明において、右側及び左側とは、図２の図面上における右側及び左側である。
【００６５】
図１０及び図１１は、露光ヘッド２２Ｂの露光ヘッド２２Ａ側の端部を基準として光量補正する場合について説明するための図である。
【００６６】
図１０に示すように、初期発光においては、各露光ヘッド２２は、一定の光量となっている（図１０の太線Ｇ参照）。各露光ヘッド２２の温度が上昇すると、図１０の点線Ｉに示すように、主走査方向においてばらつきをもって光量が低下する。
【００６７】
具体的には、図１１に示すように、露光ヘッド２２Ａは、光量ダウン係数がＫａであり、右側（露光ヘッド２２Ｂ側）の端部の温度検出部２６で検出された温度上昇をＲａとすると、この端部における温度上昇後の光量が、初期光量を０とした場合にＲａＫａとなる。
【００６８】
また、露光ヘッド２２Ｂは、光量ダウン係数がＫｂであり、左側（露光ヘッド２２Ａ側）の端部の温度検出部２６で検出された温度上昇をＬｂとすると、この端部における温度上昇後の光量が、ＬｂＫｂとなる。露光ヘッド２２Ｂの右側（露光ヘッド２２Ｃ側）の端部の温度検出部２６で検出された温度上昇をＲｂとすると、この端部における温度上昇後の光量が、初期光量を０とした場合にＲｂＫｂとなる。
【００６９】
また、露光ヘッド２２Ｃは、光量ダウン係数がＫｃであり、左側（露光ヘッド２２Ｂ側）の端部の温度検出部２６で検出された温度上昇をＬｃとすると、この端部における温度上昇後の光量が、初期光量を０とした場合にＬｃＫｃとなる。
【００７０】
この例では、露光ヘッド２２Ｂの左側の端部を基準とし、この端部を初期光量に戻るように補正する。従って、露光ヘッド２２Ｂの光量補正値は−ＬｂＫｂとなる。なお、このときの温度補正値は、−Ｌｂとなる。
【００７１】
また、露光ヘッド２２Ａと露光ヘッド２２Ｂとのつなぎ目部分での光量のばらつきをなくすため、露光ヘッド２２Ａの右側の端部においても、初期光量に戻るように補正する。従って、露光ヘッド２２Ａの右側の端部において、光量補正値は−ＲａＫａとなる。なお、このときの温度補正値は、−Ｒａとなる。
【００７２】
光量補正値−ＬｂＫｂで光量補正を行った露光ヘッド２２Ｂの右側の端部における補正後光量は、（Ｒｂ−Ｌｂ）Ｋｂとなる。露光ヘッド２２Ｂと露光ヘッド２２Ｃとのつなぎ目部分でも光量のばらつきをなくすため、露光ヘッド２２Ｃの左側の端部においても、（Ｒｂ−Ｌｂ）Ｋｂになるように補正する。従って、露光ヘッド２２Ｃの左側の端部において、光量補正値は（Ｒｂ−Ｌｂ）Ｋｂ−ＬｃＫｃとなる。なお、このときの温度補正値は、（Ｒｂ−Ｌｂ）Ｋｂ／Ｋｃ−Ｌｃとなる。
【００７３】
このように、補正することにより、各露光ヘッド２２のつなぎ目部分において、光量が急激に変化する段差が解消され、光量ムラが抑制される。これにより、画像形成の際における濃度ムラが目立たなくなる。
【００７４】
次に、露光ヘッド２２Ｂの中央部を基準とした場合について説明する。
図１２及び図１３は、露光ヘッド２２Ｂの中央部を基準として光量補正する場合について説明するための図である。
【００７５】
図１２に示すように、初期発光においては、各露光ヘッド２２は、一定の光量となっている（図１２の太線Ｋ参照）。各露光ヘッド２２の温度が上昇すると、図１２の点線Ｌに示すように、主走査方向においてばらつきをもって光量が低下する。
【００７６】
具体的には、図１３に示すように、露光ヘッド２２Ａは、光量ダウン係数がＫａであり、右側（露光ヘッド２２Ｂ側）の端部の温度検出部２６で検出された温度上昇をＲａとすると、この端部における温度上昇後の光量が、初期光量を０とした場合にＲａＫａとなる。
【００７７】
また、露光ヘッド２２Ｂは、光量ダウン係数がＫｂであり、左側（露光ヘッド２２Ａ側）の端部の温度検出部２６で検出された温度上昇をＬｂとすると、この端部における温度上昇後の光量が、ＬｂＫｂとなる。露光ヘッド２２Ｂの右側（露光ヘッド２２Ｃ側）の端部の温度検出部２６で検出された温度上昇をＲｂとすると、この端部における温度上昇後の光量が、初期光量を０とした場合にＲｂＫｂとなる。
【００７８】
露光ヘッド２２Ｂの中央部での温度上昇は、左側及び右側の平均値である（Ｌｂ＋Ｒｂ）／２とすると、この中央部における温度上昇後の光量が、初期光量を０とした場合に（Ｌｂ＋Ｒｂ）Ｋｂ／２となる。
【００７９】
また、露光ヘッド２２Ｃは、光量ダウン係数がＫｃであり、左側（露光ヘッド２２Ｂ側）の端部の温度検出部２６で検出された温度上昇をＬｃとすると、この端部における温度上昇後の光量が、初期光量を０とした場合にＬｃＫｃとなる。
【００８０】
この例では、露光ヘッド２２Ｂの中央部を基準とし、この中央部を初期光量に戻るように補正する。従って、露光ヘッド２２Ｂの光量補正値は−（Ｌｂ＋Ｒｂ）Ｋｂ／２となる。なお、このときの温度補正値は、−（Ｌｂ＋Ｒｂ）／２となる。
【００８１】
光量補正値−（Ｌｂ＋Ｒｂ）Ｋｂ／２で光量補正を行った露光ヘッド２２Ｂの左側の端部における補正後光量は、（Ｌｂ−Ｒｂ）Ｋｂ／２となる。
【００８２】
露光ヘッド２２Ａと露光ヘッド２２Ｂとのつなぎ目部分での光量のばらつきをなくすため、露光ヘッド２２Ａの右側の端部においても、光量が（Ｌｂ−Ｒｂ）Ｋｂ／２に戻るように補正する。従って、露光ヘッド２２Ａの右側の端部において、光量補正値は（Ｌｂ−Ｒｂ）Ｋｂ／２−ＲａＫａとなる。なお、このときの温度補正値は、（Ｌｂ−Ｒｂ）Ｋｂ／２Ｋａ−Ｒａとなる。
【００８３】
光量補正値−（Ｌｂ＋Ｒｂ）Ｋｂ／２で光量補正を行った露光ヘッド２２Ｂの右側の端部における補正後光量は、（Ｒｂ−Ｌｂ）Ｋｂ／２となる。露光ヘッド２２Ｂと露光ヘッド２２Ｃとのつなぎ目部分でも光量のばらつきをなくすため、露光ヘッド２２Ｃの左側の端部においても、光量が（Ｒｂ−Ｌｂ）Ｋｂ／２になるように補正する。従って、露光ヘッド２２Ｃの左側の端部において、光量補正値は（Ｒｂ−Ｌｂ）Ｋｂ／２−ＬｃＫｃとなる。なお、このときの温度補正値は、（Ｒｂ−Ｌｂ）Ｋｂ／２Ｋｃ−Ｌｃとなる。
【００８４】
このように、補正することにより、各露光ヘッド２２のつなぎ目部分において、光量が急激に変化する段差が解消され、光量ムラが抑制される。これにより、画像形成の際における濃度ムラが目立たなくなる。
【００８５】
本発明は、上記の実施形態に限るものではなく、種々の変形、変更、改良が可能である。
【符号の説明】
【００８６】
１０   画像形成装置
１２   露光装置
１６   基板
１８   ＬＥＤチップ（発光素子）
２２   露光ヘッド
２４   ＩＣドライバ（駆動回路）
２６   温度検出部
２８   制御部（補正部）
３０   ＥＥＰＲＯＭ（記憶手段）
４６   感光体ドラム（感光体）
５２   現像装置
【図１】
2010228213.tif 000003
【図２】
2010228213.tif 000004
【図３】
2010228213.tif 000005
【図４】
2010228213.tif 000006
【図５】
2010228213.tif 000007
【図６】
2010228213.tif 000008
【図７】
2010228213.tif 000009
【図１０】
2010228213.tif 000010
【図１１】
2010228213.tif 000011
【図１２】
2010228213.tif 000012
【図１３】
2010228213.tif 000013
【図８】
2010228213.tif 000014
【図９】
2010228213.tif 000015